(57)【特許請求の範囲】
【請求項１】
筒軸心線方向を略上下方向とした略円筒状の周壁部によって囲まれており、上部に洗い場排水の受入口を有し、下部に第１流出口を有した受入室と、
内部に該周壁部を受け入れており、該第１流出口からの流出水が流入する封水室と、
該封水室に連なる、該封水室からの溢出水を流出させるための第２流出口と、
該第２流出口が連なる合流流出口と、
該受入室及び封水室の下側を通って延在し、一端側に浴槽排水の流入口を有し、他端側に該合流流出口に連なる第３流出口を有している浴槽排水流路と、
該浴槽排水流路から浴槽排水導入口を介して浴槽排水の一部を該受入室内に導入するための導水部材と、
を備えており、
該第１流出口からの流出水は、該周壁部の下端と封水室の底面との間の隙間を通って該封水室に流入する浴槽及び洗い場用の排水トラップにおいて、
該導水部材が複数個設けられ、各導水部材は該浴槽排水導入口から上方へ向って突設された導水筒を有することを特徴とする排水トラップ。
【請求項２】
筒軸心線方向を略上下方向とした略円筒状の周壁部によって囲まれており、上部に洗い場排水の受入口を有し、下部に第１流出口を有した受入室と、
該受入室内に設置され、中心ほど下位となる下向き凸形状のヘアキャッチャーと、
内部に該周壁部を受け入れており、該第１流出口からの流出水が流入する封水室と、
該封水室に連なる、該封水室からの溢出水を流出させるための第２流出口と、
該第２流出口が連なる合流流出口と、
該受入室及び封水室の下側を通って延在し、一端側に浴槽排水の流入口を有し、他端側に該合流流出口に連なる第３流出口を有している浴槽排水流路と、
該浴槽排水流路から浴槽排水の一部を該受入室内に導入するための導水部材と、
を備えており、
該第１流出口からの流出水は、該周壁部の下端と封水室の底面との間の隙間を通って該封水室に流入する浴槽及び洗い場用の排水トラップにおいて、
該導水部材の水を第４流出口から該受入室の略接線方向に流出させて該受入室内で旋回流を形成するための旋回流形成手段が設けられており、
該導水部材の上部が該第４流出口より低い位置で複数に分岐していることを特徴とする排水トラップ。
【請求項３】
請求項１において、前記導水部材から水を前記受入室の略接線方向に流出させて該受入室内で旋回流を形成するための旋回流形成手段が設けられていることを特徴とする排水トラップ。
【請求項４】
請求項１において、該導水部材が２個、前記受入室の軸心を挟んで反対側にそれぞれ配置されていることを特徴とする排水トラップ。
【請求項５】
請求項２において、該導水部材の上部が２個に分岐し、前記受入室の軸心を挟んで反対側にそれぞれ配置されていることを特徴とする排水トラップ。
【請求項６】
請求項１ないし５のいずれか1項において、前記導水部材は、前記受入室の上部に浴槽排水を流出させるように設けられていることを特徴とする排水トラップ。
【請求項７】
請求項６において、前記周壁部の上部の内周面に、前記受入室の上部に旋回流を形成するための、周方向に延在した棚状部が設けられていることを特徴とする排水トラップ。
【請求項８】
請求項７において、前記導水部材の上端部が前記棚状部よりも上方に突出しており、該導水部材の上端部には、前記周壁部の内周面に沿って該棚状部上に浴槽排水を流出させるように吐水口が設けられていることを特徴とする排水トラップ。
【請求項９】
請求項８において、前記棚状部の上側を流れる旋回流を前記導水部材の上側へ導くためのスロープ部が前記棚状部に設けられていることを特徴とする排水トラップ。
【発明の詳細な説明】
【技術分野】
【０００１】
本発明は、浴槽及び洗い場用の排水トラップであって、洗い場排水を受け入れる受入室と、浴槽排水が流入する浴槽排水流路とを有し、該受入室及び浴槽排水流路から水が共通の流出口を通って排水される排水トラップに係り、特に浴槽排水の一部を受入室内に導入する導水部材を備えた排水トラップに関する。特に、本発明は、この導水部材から水を受入室の略接線方向に流出させて該受入室内で旋回流を形成するように構成された排水トラップに好適な排水トラップに関する。
【背景技術】
【０００２】
洗い場排水を受け入れる受入室と、浴槽排水が流入する浴槽排水流路とを有し、該受入室及び浴槽排水流路から水が共通の流出口（合流流出口）を通って排水される排水トラップとして、浴槽排水流路から浴槽排水の一部を分取し、これを導水部材によって受入室の上部に略接線方向に吐出させて受入室内に旋回流を形成するものが特開２００９−１６７５９０号公報に記載されている。
【０００３】
同号公報第５図〜第８図に明示の通り、同号では導水部材は受入室の軸心部に１本だけ立設されている。また、浴槽排水流路は、受入室の底面板の下側に形成されており、浴槽排水の受入部から合流流出口まで分岐することなく連続している。
【先行技術文献】
【特許文献】
【０００４】
【特許文献１】特開２００９−１６７５９０号公報
【発明の概要】
【発明が解決しようとする課題】
【０００５】
本発明は、浴槽排水の一部を効率よく受入室内に導入することができる排水トラップを提供することを目的とする。
【課題を解決するための手段】
【０００６】
請求項１の排水トラップは、筒軸心線方向を略上下方向とした略円筒状の周壁部によって囲まれており、上部に洗い場排水の受入口を有し、下部に第１流出口を有した受入室と、内部に該周壁部を受け入れており、該第１流出口からの流出水が流入する封水室と、該封水室に連なる、該封水室からの溢出水を流出させるための第２流出口と、該第２流出口が連なる合流流出口と、該受入室及び封水室の下側を通って延在し、一端側に浴槽排水の流入口を有し、他端側に該合流流出口に連なる第３流出口を有している浴槽排水流路と、該浴槽排水流路から浴槽排水導入口を介して浴槽排水の一部を該受入室内に導入するための導水部材と、を備えており、該第１流出口からの流出水は、該周壁部の下端と封水室の底面との間の隙間を通って該封水室に流入する浴槽及び洗い場用の排水トラップにおいて、該導水部材が複数個設けられ、各導水部材は該浴槽排水導入口から上方へ向って突設された導水筒を有することを特徴とするものである。
【０００７】
請求項２の排水トラップは、筒軸心線方向を略上下方向とした略円筒状の周壁部によって囲まれており、上部に洗い場排水の受入口を有し、下部に第１流出口を有した受入室と、該受入室内に設置され、中心ほど下位となる下向き凸形状のヘアキャッチャーと、内部に該周壁部を受け入れており、該第１流出口からの流出水が流入する封水室と、該封水室に連なる、該封水室からの溢出水を流出させるための第２流出口と、該第２流出口が連なる合流流出口と、該受入室及び封水室の下側を通って延在し、一端側に浴槽排水の流入口を有し、他端側に該合流流出口に連なる第３流出口を有している浴槽排水流路と、該浴槽排水流路から浴槽排水の一部を該受入室内に導入するための導水部材と、を備えており、該第１流出口からの流出水は、該周壁部の下端と封水室の底面との間の隙間を通って該封水室に流入する浴槽及び洗い場用の排水トラップにおいて、該導水部材の水を第４流出口から該受入室の略接線方向に流出させて該受入室内で旋回流を形成するための旋回流形成手段が設けられており、該導水部材の上部が該第４流出口より低い位置で複数に分岐していることを特徴とするものである。
【０００８】
請求項３の排水トラップは、請求項１において、前記導水部材から水を前記受入室の略接線方向に流出させて該受入室内で旋回流を形成するための旋回流形成手段が設けられていることを特徴とするものである。
【０００９】
請求項４の排水トラップは、請求項１において、該導水部材が２個、前記受入室の軸心を挟んで反対側にそれぞれ配置されていることを特徴とするものである。
【００１０】
請求項５の排水トラップは、請求項２において、該導水部材の上部が２個に分岐し、前記受入室の軸心を挟んで反対側にそれぞれ配置されていることを特徴とするものである。
【００１１】
請求項６の排水トラップは、請求項１ないし５のいずれか1項において、前記導水部材は、前記受入室の上部に浴槽排水を流出させるように設けられていることを特徴とするものである。
【００１２】
請求項７の排水トラップは、請求項６において、前記周壁部の上部の内周面に、前記受入室の上部に旋回流を形成するための、周方向に延在した棚状部が設けられていることを特徴とするものである。
【００１３】
請求項８の排水トラップは、請求項７において、前記導水部材の上端部が前記棚状部よりも上方に突出しており、該導水部材の上端部には、前記周壁部の内周面に沿って該棚状部上に浴槽排水を流出させるように吐水口が設けられていることを特徴とするものである。
【００１４】
請求項９の排水トラップは、請求項８において、前記棚状部の上側を流れる旋回流を前記導水部材の上側へ導くためのスロープ部が前記棚状部に設けられていることを特徴とするものである。
【発明の効果】
【００１５】
第１発明（請求項１）の排水トラップにあっては、導水部材が複数個設けられている。そのため、浴槽排水時には、浴槽排水の一部が各導水部材を介して効率よく受入室内に導入される。これにより、浴槽排水が合流流出口を通って流出するのに伴い、封水室内に負圧が生じて該封水室内の封水が合流流出口に吸い出された場合でも、各導水部材から受入室内に導入された水が封水室に流入することによって封水室内に十分に封水が補給されるため、該封水室内で封水切れすることが防止される。
【００１６】
第２発明（請求項２）の排水トラップにあっては、導水部材の上部が複数に分岐している。そのため、浴槽排水時には、浴槽排水の一部が導水部材を介して効率よく受入室内に導入される。これにより、浴槽排水が合流流出口を通って流出するのに伴い、封水室内に負圧が生じて該封水室内の封水が合流流出口に吸い出された場合でも、導水部材から受入室内に導入された水が封水室に流入することによって封水室内に十分に封水が補給されるため、該封水室内で封水切れすることが防止される。
【００１７】
請求項３の態様にあっては、各導水部材から水が受入室の略接線方向に流出することにより、受入室内で旋回流を生じるため、この受入室内に設置されたヘアキャッチャー（目皿）が旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。本発明では、導水部材が複数個設けられているので、効率よく旋回流を形成することができると共に、旋回流のムラが小さいものとなる。
【００１８】
請求項４のように２個の導水部材を受入室直径方向に対置するように設けることにより、受入室内の旋回流の流速ムラが小さいものとなる。
【００１９】
請求項５のように２個に分岐した導水部材の上部を受入室直径方向に対置するように設けることにより、受入室内の旋回流の流速ムラが小さいものとなる。
【００２０】
請求項６，７のように、受入室の上部に旋回流を形成するよう構成した場合、旋回流の水量が少ない場合でも、目皿を旋回流に十分に浸すことができる。
【００２１】
請求項８のように、導水部材の上端部を棚状部から上方に突設させた場合、浴槽排水を吐出口から直接的に棚状部上に吐出させて旋回流を形成することができる。
【００２２】
この場合、請求項９のようにスロープ部を設けると、旋回流がこのスロープ部に沿って導水部材の上側へ導かれるので、旋回流の水勢（流速）が保たれる。また、旋回流がスロープ部に沿って持ち上げられ、周壁の上位側へ導かれるので、受入室下位へ旋回流が落下しにくくなり、目皿の上部まで旋回流に浸すことができるようになる。
【図面の簡単な説明】
【００２３】
【図１】実施の形態に係る排水トラップの斜視図である。
【図２】図１の排水トラップの上方から受入室内を見た斜視図である。
【図３】図１の排水トラップの封水室天井部を取り外した状態を示す斜視図である。
【図４】図３からさらに周壁部を取り外した状態を示す斜視図である。
【図５】図４からさらに導水筒及び蓋プレートを取り外した状態を示す斜視図である。
【図６】図５からさらに流路カバーを取り外した状態を示す斜視図である。
【図７】図６の状態における排水トラップの平面図である。
【図８】図１のVIII−VIII線に沿う断面図である。
【図９】図８のIX−IX線に沿う断面図である。
【図１０】実施の形態に係る排水トラップを備えた浴室の概略的な斜視図である。
【図１１】図１の排水トラップの斜視図である。
【図１２】図２のIII−III線断面図である。
【図１３】図２のIV−IV線断面図である。
【図１４】排水トラップの別の設置状態を示す断面図である。
【図１５】導水部材本体、封水筒及びノズル体の分解斜視図である。
【図１６】導水部材本体、封水筒及びノズル体の組付斜視図である。
【図１７】さらに別の実施の形態に係る排水トラップの斜視図である。
【図１８】図１７のXVIII−XVIII線断面図である。
【図１９】図１７のIXX−IXX線断面図である。
【発明を実施するための形態】
【００２４】
以下、本発明の実施の形態を図面に基づいて説明する。
【００２５】
第１図は実施の形態に係る排水トラップの斜視図、第２図はこの排水トラップの上方から受入室内を見た斜視図、第３図はこの排水トラップの封水室天井部を取り外した状態を示す斜視図、第４図は第３図からさらに周壁部を取り外した状態を示す斜視図、第５図は第４図からさらに導水筒及び蓋プレートを取り外した状態を示す斜視図、第６図は第５図からさらに流路カバーを取り外した状態を示す斜視図、第７図は第６図の状態における排水トラップの平面図、第８図は第１図のVIII−VIII線に沿う断面図、第９図は第８図のIX−IX線に沿う断面図である。
【００２６】
図示は省略するが、浴室の床は浴槽パンと洗い場パンとによって構成され、この浴槽パン上に浴槽が設置されている。浴槽パン及び浴槽の底面にはそれぞれ浴槽パン排水口及び浴槽排水口が設けられている。該浴槽パン排水口は浴槽排水口よりも大径となっており、且つ浴槽排水口は浴槽パン排水口の内側に露呈するように配置されている。洗い場パンの浴槽側には排水枡が形成されている。この排水枡は洗い場パンと一体に凹み状に形成されており、その底面に洗い場排水口が設けられている。なお、この実施の形態では浴室の床に浴槽パンを設けているが、浴槽パンを設けない仕様であってもよい。
【００２７】
これらの浴槽パン排水口及び洗い場排水口に対し、下側から排水トラップ１０が連結されている。
【００２８】
排水トラップ１０は、洗い場パンからの排水が排水枡の洗い場排水口を通り流入する洗い場排水受入口１１と、浴槽及び浴槽パンからの排水が浴槽排水口及び浴槽パン排水口を通り流入する浴槽排水及び浴槽パン排水流入口（以下、浴槽排水流入口と略すことがある。）１２とを備えている。また、この排水トラップ１０の該浴槽排水流入口１２と反対側の側面部には、これらの洗い場排水受入口１１及び浴槽排水流入口１２から該排水トラップ１０内に流入した水が流出する合流流出口１４が設けられている。この合流流出口１４に排水管（図示略）が接続されている。
【００２９】
排水トラップ１０は、該浴槽パン排水口への接続用の排水ソケット１５を備えている。この排水ソケット１５は、浴槽パンの下側から該浴槽パン排水口の周縁部に重なる環状のフランジ部１５ａと、上端が該フランジ部１５ａの内周縁に連なる周壁部１５ｂと、該周壁部１５ｂの下端部に周設された内向き鍔状のフランジ部１５ｃと、一端側（上流側）が該フランジ部１５ｃの内周縁に下方から連なり、他端側（下流側）が洗い場パンの下側に向って延在した略Ｌ字管状の浴槽排水流路形成部１５ｄとを有している。該フランジ部１５ｃの内周側が前記浴槽排水流入口１２となっている。周壁部１５ｂの内周面には雌ねじ１５ｅが周設されている。
【００３０】
浴槽パン排水口を介して排水ソケット１５の周壁部１５ｂの内側に環状の結合フランジ（図示略）が上方から螺じ込まれている。この結合フランジは、周壁部１５ｂの内周面の雌ねじ１５ｅに螺合している。この結合フランジの構成は、洗い場排水受入口１１に螺着される後述の結合フランジ１３と同様となっている。この排水ソケット１５のフランジ部１５ａと結合フランジとによって浴槽パン排水口の縁部が挟持され、これにより排水ソケット１５が浴槽パン排水口に接続されている。浴槽排水及び浴槽パン排水は、該結合フランジの内周側を通って排水ソケット１５の浴槽排水流入口１２に流れ込む。
【００３１】
この排水ソケット１５の浴槽排水流路形成部１５ｄの下流側に、後述のハウジング２５の浴槽排水流入口２５ｋが接続されている。このハウジング２５の上面部に、洗い場排水受入口１１を構成するための開口２５ａが設けられている。排水枡の洗い場排水口を介してこの開口２５ａに環状の結合フランジ１３が上方から螺着されることにより、ハウジング２５が排水枡の底部に連結されている。なお、この結合フランジ１３及びハウジング２５の詳細な構成については後述する。
【００３２】
この結合フランジ１３を通してハウジング２５内に上方から着脱可能にヘアキャッチャー１７が差し込まれている。このヘアキャッチャー１７は、上面が開いたカゴ（篭）状である。第１図の符号１７ｂは、このヘアキャッチャー１７を着脱する際に作業者が把持する把持部を示している。
【００３３】
次に、特に第８，９図を参照してこの排水トラップ１０の構成について詳細に説明する。
【００３４】
排水トラップ１０は、略円筒状の周壁部２１によって囲まれており、上部に前記洗い場排水受入口１１を有し、下部に第１流出口２２を有した洗い場排水の受入室２０と、内部に周壁部２１を受け入れており、該第１流出口２２からの流出水が流入する封水室２３と、該封水室２３と前記合流流出口１４とに連なっており、該封水室２３からの溢出水を該合流流出口１４に流出させるための第２流出口２４（第９図）と、受入室２０及び封水室２３の底面板（この実施の形態では、後述の流路カバー２８）の下側を通って延在しており、上流側に前記浴槽排水流入口１２を有し、下流側に該合流流出口１４に連なる第３流出口３１（第９図）を有した浴槽排水流路３０と、該浴槽排水流路３０の水の一部を受入室２０内に導入するための導水部材としての導水筒４１と、浴槽排水流路３０とは別個に受入室２０及び封水室２３の底面板の下側に設けられた、浴槽排水を該導水筒４１に導くための導入流路５０等を備えている。
【００３５】
封水室２３は、ハウジング２５によって取り囲まれている。第１，３〜８図の通り、このハウジング２５は、底面部２５ｂと、該底面部２５ｂの周縁部から立設された側壁部２５ｃ，２５ｄ，２５ｅ，２５ｆと、該側壁部２５ｃ，２５ｄ，２５ｅ，２５ｆによって囲まれた空間を上方から塞ぐ天井部２５ｇとを有している。この実施の形態では、側壁部２５ｃがハウジング２５の浴槽側（上流側）に位置し、側壁部２５ｅがこれと反対側（下流側）に位置し、側壁部２５ｄ，２５ｆが該側壁部２５ｃ，２５ｅの幅方向（該側壁部２５ｃ，２５ｅの高さ方向及び厚み方向と直交方向）の一端側同士及び他端側同士をそれぞれ繋いでいる。天井部２５ｇの周縁部は、該側壁部２５ｃ，２５ｄ，２５ｅ，２５ｆの上端部に係合している。
【００３６】
このハウジング２５の天井部２５ｇに、前記洗い場排水受入口１１を構成するための開口２５ａが設けられており、この開口２５ａを通して、該ハウジング２５内に周壁部２１がその筒軸心方向を上下方向として挿入されている。周壁部２１の上端部には外向き鍔状のフランジ部２１ｃが周設されている。このハウジング２５の底面部２５ｂ、側壁部２５ｃ，２５ｄ，２５ｅ，２５ｆ及び天井部２５ｇの内面と周壁部２１の外周面との間が封水室２３となっている。
【００３７】
第８図の通り、開口２５ａの内周縁に筒状部２５ｈが連なっている。この筒状部２５ｈの内周面には雌ねじ（符号略）が周設されている。筒状部２５ｈの下端部には、内向き鍔状のフランジ部２５ｊが周設されている。このフランジ部２５ｊの内径は、周壁部２１の外径よりも若干大きく、且つ該周壁部２１のフランジ部２１ｃの外径よりも小さなものとなっている。このフランジ部２５ｊの内周側に周壁部２１が挿抜可能に挿入され、該フランジ部２５ｊに周壁部２１のフランジ部２１ｃが、図示しないパッキンを介して重なっている。第８図の通り、周壁部２１がこのようにしてハウジング２５内にセットされた状態において、該周壁部２１の下端は、封水室２３の底面（底面部２５ｂの上面）のレベルよりも上方に位置している。この周壁部２１の下端と封水室２３の底面との間の隙間は１０〜２０ｍｍ特に１０〜１２ｍｍ程度であることが好ましい。
【００３８】
前記結合フランジ１３は、第８図の通り、洗い場排水口の縁部に上方から重なる環状のフランジ部１３ａと、上端部が該フランジ部１３ａの内周縁に連なる筒状部１３ｂとを有している。該筒状部１３ｂの外周面には雄ねじ（符号略）が周設されている。洗い場排水口及び開口２５ａを介して筒状部２５ｈの内側に結合フランジ１３の筒状部１３ｂが上方から螺じ込まれてこれらの雄ねじと雌ねじとが螺合し、この結合フランジ１３のフランジ部１３ａとハウジング２５の天井部２５ｇとによって洗い場排水口の縁部が挟持され、これによりハウジング２５が排水枡の底部に連結されている。なお、周壁部２１のフランジ部２１ｃの外径は、この結合フランジ１３の内径よりも小さなものとなっている。
【００３９】
前記ヘアキャッチャー１７の上端部には、放射方向に張り出すフランジ部１７ａが周設されている。このフランジ部１７ａの外径は、結合フランジ１３の内径と同等かそれよりも若干小さいものとなっている。筒状部１３ｂの内周面の上端側には、ヘアキャッチャー１７がこの筒状部１３ｂの内周側に上方から差し込まれたときに、該フランジ部１７ａに係合してヘアキャッチャー１７を受入室２０の上部に係止する係止部１３ｄ（第２図）が設けられている。ヘアキャッチャー１７は、その上面が結合フランジ１３の上面と略面一となるように該係止部１３ｄによって係止されている。この係止部１３ｄは、受入室２０内に形成された旋回流によってヘアキャッチャー１７が浮き上がらないようにヘアキャッチャー１７を保持している。
【００４０】
ハウジング２５の底面部２５ｂには、該ハウジング２５内において前記浴槽排水流路３０及び導入流路５０を形成するための流路形成溝２６が設けられている。この実施の形態では、該流路形成溝２６は、底面部２５ｂの上面から凹設された凹溝よりなる。この流路形成溝２６は、受入室２０の下方を通って底面部２６ｂの上流側から下流側まで延設されている。
【００４１】
ハウジング２５の上流側の側壁部２５ｃの下端には浴槽排水流入口２５ｋ（第９図）が設けられており、この浴槽排水流入口２５ｋに流路形成溝２６の上流側が連なっている。この実施の形態では、該浴槽排水流入口２５ｋは、側壁部２５ｃの外面から浴槽側へ向って突出した筒状に形成されている。この浴槽排水流入口２５ｋの突出方向先端側（上流側）に、前記排水ソケット１５の浴槽排水流路形成部１５ｄの下流側が接続されている。
【００４２】
即ち、この実施の形態では、該浴槽排水流路形成部１５ｄ、浴槽排水流入口２５ｋ並びに流路形成溝２６によって前記浴槽排水流路３０が構成されている。
【００４３】
この実施の形態では、第６図に明示の通り、流路形成溝２６内は、その底面から立設された１対の仕切壁２７，２７によって３個の流路に区画されている。仕切壁２７，２７同士は、流路形成溝２６の幅方向に互いに間隔をあけて配置されている。また、流路形成溝２６の両側面と、これに対向する各仕切壁２７との間もそれぞれ間隔があいている。この実施の形態では、流路形成溝２６内のうち、該仕切壁２７，２７同士の間がハウジング２５内における前記浴槽排水流路３０となっており、該流路形成溝２６の両側面と、これに対向する各仕切壁２７との間がそれぞれ前記導入流路５０となっている。なお、導入流路５０の個数及び配置はこれに限定されるものではなく、導入流路５０は１個だけ又は３個以上設けられてもよい。この実施の形態では、浴槽排水流路３０の両側にそれぞれ導入流路５０が配設されているが、導入流路５０の両側にそれぞれ浴槽排水流路３０が配設されてもよい。浴槽排水流路３０及び導入流路５０は、それぞれ、その延在方向の途中部で２個以上の流路に分岐してもよい。
【００４４】
各仕切壁２７は、流路形成溝２６の上流側から受入室２０の下方領域まで延在している。各仕切壁２７の下流側にはそれぞれ閉鎖ブロック２７ａが連なっている。各閉鎖ブロック２７ａは、各仕切壁２７の下流側と、これに対向する流路形成溝２６の両側面との間をそれぞれ閉鎖している。これにより、各導入流路５０は、浴槽排水流路３０の両側において、それぞれ底面部２５ｂの上流側から受入室２０の下方領域まで延在したものとなっている。各導入流路５０の上流側（流路形成溝２６の両側面と、これに対向する各仕切壁２７の上流側との間）は、それぞれ浴槽排水流入口２５ｋに開放している。また、仕切壁２７，２７同士の間の浴槽排水流路３０の上流側も、該浴槽排水流入口２５ｋに開放している。浴槽排水流路３０は、仕切壁２７，２７同士の間を通り抜けて底面部２５ｂの下流側まで延在している。
【００４５】
流路形成溝２６の両側面と、これに対向する各仕切壁２７との間の間隔（各導入流路５０の幅）は、それぞれ１０〜５０ｍｍ特に１０〜３０ｍｍであることが好ましい。仕切壁２７，２７同士の間隔（ハウジング２５内における浴槽排水流路３０の上流側の幅）は１０〜５０ｍｍ特に２０〜３０ｍｍであることが好ましい。各仕切壁２７同士の間よりも下流側における流路形成溝２６の幅（ハウジング２５内における浴槽排水流路３０の下流側の幅）は１０〜５０ｍｍ特に２０〜３０ｍｍであることが好ましい。
【００４６】
この流路形成溝２６を上方から覆蓋するように流路カバー２８が取り付けられている。この流路カバー２８により、封水室２３と流路形成溝２６内とが分画されている。第６，９図の通り、この流路カバー２８は、流路形成溝２６の全長にわたって延設されている。この流路カバー２８の上流側の端縁はハウジング２５の上流側の側壁部２５ｃに連なり、下流側の端縁はハウジング２５の下流側の側壁部２５ｅに連なっている。各仕切壁１７の上端は、この流路カバー２８の下面に当接している。
【００４７】
第５，８図の通り、この実施の形態では、該流路カバー２８により、受入室２０及び封水室２３の底面板が構成されている。
【００４８】
この流路カバー２８は、第８図の通り、その上面がハウジング２５の底面部２５ｂの上面と略面一状となるように設置されている。詳しくは、第８図の通り、底面部２５ｂの上面と流路形成溝２６の両側面との角部には、それぞれ該底面部２５ｂの上面よりも低くなった凹段部（符号略）が形成されており、この凹段部に流路カバー２８の両側縁部が係合している。この凹段部の深さは流路カバー２８の厚さと略同等となっている。流路カバー２８の両側縁部からそれぞれ係合片２８ａが下方へ突設されており、該凹段部に凹設された係合溝２５ｍにこの係合片２８ａが係合している。また、流路カバー２８の下面からは、この係合片２８ａとそれぞれ対向するように、流路形成溝２６内に入り込む垂下片２８ｂが下方へ突設されており、この垂下片２８ｂが流路形成溝２６の両側面にそれぞれ重なっている。この流路カバー２８の下面と流路形成溝２６の底面との間の間隔（ハウジング２５内における浴槽排水流路３０及び導入流路５０の高さ）は１０〜２０ｍｍ特に１０〜１２ｍｍであることが好ましい。
【００４９】
第３〜６図の通り、ハウジング２５の底面部２５ｂのうち周壁部２１の下方領域よりも下流側の領域は、該周壁部２１から離隔するほど上位となる立上部２５ｐとなっている。この立上部２５ｐの上端のレベルは、周壁部２１の下端よりも上位となっている。流路形成溝２６の下流側も、この立上部２５ｐに沿って、該下流側ほど上位となるように延在している。立上部２５ｐの上端には、さらに下流側に向って略水平に延在した略水平状部２５ｑが連なっている。流路形成溝２６の下流側は、この略水平状部２５ｑとハウジング２５の下流側の側壁部２５ｅとのコーナー部まで延在している。この略水平状部２５ｑ上における流路形成溝２６の底面のレベルは、周壁部２１の下方領域における流路カバー２８のレベルよりも上位となっている。
【００５０】
第３〜６図の通り、ハウジング２５の下流側の側壁部２５ｅに開口２５ｒが設けられており、この開口２５ｒに略円筒状の前記合流流出口１４が連なっている。この開口２５ｒの下縁のレベルは、略水平状部２５ｑ上における流路形成溝２６の底面と略同レベルとなっている。また、この開口２５ｒの上縁のレベルは、略水平状部２５ｑの上面よりも上位となっている。
【００５１】
第９図の通り、この開口２５ｒの下部に流路形成溝２６の下流側が臨んでおり、この流路形成溝２６の上面を塞いだ流路カバー２８によって開口２５ｒが上下に分画されている。この開口２５ｒのうち、該流路カバー２８よりも下側部分が、流路形成溝２６内の浴槽排水流路３０に連通した前記第３流出口３１となっており、該流路カバー２８よりも上側部分が、封水室２３内に連通した前記第２流出口２４となっている。
【００５２】
第５，８，９図の通り、受入室２０の下方において、流路カバー２８に、浴槽排水流路３０及びその両側の各導入流路５０の双方に連通する大径の開口２８ｅが設けられている。この開口２８ｅは、略円形であり、周壁部２１と略同心状に配置されている。なお、開口２８ｅの形状及び配置はこれに限定されない。
【００５３】
第４，８，９図の通り、流路カバー２８の上面には、この開口２８ｅを覆った略円形の蓋プレート６０が取り付けられている。この蓋プレート６０の外径は、前記結合フランジ１３の内径よりも小さいものとなっている。この蓋プレート６０の下面から凸部６１が突設されており、この凸部６１が開口２８ｅに内嵌している。この蓋プレート６０の該凸部６１よりも外周側が全周にわたって開口２８ｅの周囲の流路カバー２８の上面に、図示しないパッキンを介して重なっている。
【００５４】
蓋プレート６０の外周側の端縁から放射方向に複数個の係止片（図示略）が突設されている。第４，５図の通り、開口２８ｅの周囲の流路カバー２８の上面には、各係止片と対応する位置関係にて複数個のフック部２８ｄが設けられており、各係止片がこのフック部２８ｄに係合することにより、蓋プレート６０が流路カバー２８の上面に着脱可能に取り付けられている。この係止片とフック部２８ｄとの係合及び係合解除は、それぞれ、凸部６１を開口２８ｅに内嵌させた状態で蓋プレート６０を流路カバー２８の上面に沿って正・逆方向に回転させることにより行われる。
【００５５】
第８図の通り、蓋プレート６０に、該蓋プレート６０を上下方向に貫通する２個の浴槽排水導入口２９が設けられている。これらの浴槽排水導入口２９，２９同士は、流路形成溝２６の幅方向に間隔をおいて配置され、それぞれ浴槽排水流路３０の両側の各導入流路５０に連通している。
【００５６】
第４，８図の通り、この実施の形態では、蓋プレート６０の上面の各浴槽排水導入口２９の周縁部から、それぞれ、前記導水筒４１が上方へ向って突設されている。各導水筒４１の上端側は、それぞれ周壁部２１の内側に配置されている。これらの導水筒４１，４１同士は、周壁部２１の中心を挟んで互いに反対側に配設されている。第８図の通り、各導水筒４１内は、それぞれ、各浴槽排水導入口２９を介して各導入流路５０に連通している。
【００５７】
各導水筒４１の上端には天井部４１ｂが設けられているが、この天井部４１ｂの一部を切り欠くようにして吐水口４２が設けられている。各吐水口４２は、周壁部２１の内周面の略接線方向に開放している。即ち、各浴槽排水導入口２９から導水筒４１内に流入した浴槽排水は、この吐水口４２から受入室２０内に該周壁部２１の内周面の略接線方向に向って吐出される。
【００５８】
第２，３図の通り、該吐水口４２は、周壁部２１の周方向且つ斜め上向きに開放したものとなっている。詳しくは、各導水筒４１の上端面に、浴槽排水導入路４１ａの上端側の開放口を部分的に塞いだ天井部４１ｂが形成されている。この天井部４１ｂのうち、周壁部２１の内周側及び外周側の各縁部と、該周壁部２１の周方向の一端側の縁部とが導水筒４１の側周面の上端縁に連なり、該周壁部２１の周方向の他端側の縁部が導水筒４１の側周面の上端縁から離隔している。これにより、この天井部４１ｂの該他端側において浴槽排水導入路４１ａの上端側が部分的に開放しており、この開放口が浴槽排水の吐水口４２となっている。この吐水口４２に臨む導水筒４１の側周面の上端縁は、該天井部４１ｂから離隔するほど下位となるように斜めに延在している。
【００５９】
この実施の形態では、各吐水口４２は、それぞれ、受入室２０を上方から見たときの反時計方向側に向って開放している。これにより、各吐水口４２から浴槽排水が吐出された場合には、この吐出水の水勢によって受入室２０内に該反時計方向の旋回流が形成されるようになる。なお、各吐水口４２は、それぞれ、受入室２０を上方から見たときの時計方向側に向って開放したものとされてもよい。この場合、受入室２０内には、各吐水口４２からの吐出水の水勢により、該時計方向の旋回流が形成されるようになる。なお、吐水口４２は、この実施の形態では周壁部２１の周方向且つ斜め上向きに開放しているが、略水平方向に開放していてもよい。
【００６０】
各導水筒４１は、この実施の形態では蓋プレート６０と一体的に形成されているが、蓋プレート６０と別体に形成されて各浴槽排水導入口２９に着脱可能に連結されてもよい。
【００６１】
吐水口４２から吐出された水を周壁部２１の上部内周面に沿って旋回させるように、周壁部２１の内周面から張り出す弧形板状の棚状部７１が設けられている。棚状部７１は、周壁部２１の内周面に沿って一方の導水筒４１から他方の導水筒４１まで延在しており、一端側の上面のレベルは、各導水筒４１の吐水口４２の下縁と略同レベルか、それよりも若干（例えば５ｍｍ以下特に１〜２ｍｍ程度）下位となっている。この実施の形態では、棚状部７１が２個設けられており、各々の該一端部は、各導水筒４１の吐水口４２の下縁又はそれよりも下側の各導水筒４１の側面に臨んでいる。各導水筒４１の上端部は各棚状部７１の該一端側よりも上方に突出しており、各吐水口４２からの吐出水は、各棚状部７１の上側に吐出される。
【００６２】
各棚状部７１の他端側は、該末端側ほど上位となるスロープ部７２となっている。このスロープ部７２の最末端のレベルは、各導水筒４１の天井部４１ｂの上面と略同等かそれよりも上位となっている。周壁部２１の内周面に沿う方向における、このスロープ部７２の水平方向に対する傾斜角は２０〜８０°特に３０〜５０°であることが好ましい。
【００６３】
なお、各棚状部７１及びそのスロープ部７２は、この実施の形態では周壁部２１と一体的に形成されているが、周壁部２１と別体に形成されて該周壁部２１内に着脱可能に設置されてもよい。
【００６４】
第２図の通り、周壁部２１のフランジ部２１ｃの上面から各スロープ部７２の外周側の縁部に沿って上方へ突出部７３が突設されている。この突出部７３の上端のレベルは、スロープ部７２の最末端部と略同レベルかそれよりも下位となっている。
【００６５】
第８図の通り、各棚状部７１及びそのスロープ部７２よりも上位側にヘアキャッチャー１７が配置されている。棚状部７１の上面及び導水筒天井部４１ｂは、ヘアキャッチャー１７の底面に近接しているが、所定距離離隔している。
【００６６】
このように構成された排水トラップ１０の作動について次に説明する。
【００６７】
洗い場パンからの排水は、排水枡及び洗い場排水受入口１１を通って受入室２０に流入し、この受入室２０から第１流出口２２を通って封水室２３に流入する。この際、該第１流出口２２からの流出水は、周壁部２１の下端とその下方の封水室２３の底面（この実施の形態では、受入室２０の下方領域に配設された流路カバー２８及びその上面に取り付けられた蓋プレート６０の上面）との間の隙間を通って封水室２３に流入する。この封水室２３内の水は、第２流出口２４及び合流流出口１４を通って排水管に流出する。この洗い場排水の流出が停止すると、封水室２３内には、略水平状部２５ｑのレベルまで封水が残る。この封水に周壁部２１の下端が没するので、排水管の臭気が洗い場排水受入口１１から浴室内に逆流することが防止される。また、浴槽排水流路３０も水没するので、この臭気が浴槽へ逆流することもない。
【００６８】
浴槽からの排水は、浴槽排水口から浴槽パン排水口及び浴槽排水流入口１２を介して浴槽排水流路３０に流入し、この浴槽排水流路３０から第３流出口３１及び合流流出口１４を通って排水管に流出する。この際、該浴槽排水流路３０を流れる水の一部は、該浴槽排水流路３０の途中で各導入流路５０に流入し、各導入流路５０を流れて各浴槽排水導入口２９から各導水部材４０の導水筒４１内に流入し、該導水筒４１内を流れて各吐水口４２から周壁部２１の上部の棚状部７１の上側に流出する。
【００６９】
各吐水口４２から水が周壁部２１の内周面の略接線方向に流出するため、その水勢により棚状部７１の上側に旋回流が形成されるようになる。また、この水の流入により受入室２０内の水位が上昇し、ヘアキャッチャー１７あるいはさらに排水枡が旋回流に浸水した状態となる。これにより、排水枡の内面やヘアキャッチャー１７に付着しているゴミがこすり落とされて、髪の毛等のゴミは渦の中心に集められ、ヘアキャッチャー１７の底面中央部に集められる。これにより、排水枡の内面やヘアキャッチャー１７の内外面が浄化され、ヌメリ等が除去される。また、ヘアキャッチャー１７内のゴミを摘んで捨てることができるようになる。
【００７０】
この実施の形態では、各吐水口４２からの吐出水は、各棚状部７１の上側に吐出される。そのため、各吐水口４２からの吐出水は、短絡的に受入室２０の下部に流れ落ちることなく、各棚状部７１の上側で旋回するようになる。これにより、旋回流の水量が少ない場合でも、ヘアキャッチャー１７を旋回流に十分に浸すことができ、ヘアキャッチャー１７を十分に洗浄することができると共に、ヘアキャッチャー１７内のゴミを十分に該ヘアキャッチャー１７の中央部に集めることができる。
【００７１】
この実施の形態では、各棚状部７１には、吐水口４２から離隔するほど高位となるように傾斜したスロープ部７２が設けられており、棚状部７１上の旋回流は、このスロープ部７２に沿って各導水部材４０の天井部４１ｂの上側へ導かれるので、旋回流の水勢（流速）が保たれる。また、旋回流がスロープ部７２に沿って持ち上げられ、周壁部２１の上位側へ導かれるので、受入室２０の下位へ旋回流が落下しにくくなり、ヘアキャッチャー１７の上部まで旋回流に浸すことができるようになる。
【００７２】
受入室２０内の水の一部は、該受入室２０の下部の第１流出口２２を通って封水室２３に流入する。その後、この封水室２３内の水は、第２流出口２４及び合流流出口１４を通って排水管に流出する。浴槽排水の流出が停止すると、浴槽排水流路３０内は封水で満水状態となり、排水管の臭気が浴槽排水流入口１２から浴室内に逆流することが防止される。
【００７３】
なお、浴槽排水が合流流出口１４を通って排水管に流出するのに伴い、封水室２３内に負圧が生じて該封水室２３内の封水が合流流出口１４に吸い出されることがあるが、複数個の導水部材４０から受入室２０内に浴槽排水流路３０の水の一部が十分に流入することにより封水室２３内に封水が補給されるため、該封水室２３内で封水切れすることが防止される。
【００７４】
次に、この排水トラップ１０の清掃やメンテナンスを行う際の手順について説明する。
【００７５】
この排水トラップ１０の清掃やメンテナンスを行う場合、まず、排水枡のカバーを外し、洗い場排水受入口１１から周壁部２１を引き抜く。この際、周壁部２１と一体的に各棚状部７１も取り外される。次に、洗い場排水受入口１１からハウジング２５内に手や工具を挿入し、各導水筒４１を掴んで蓋プレート６０を回転させ、この蓋プレート６０の各係止片と流路カバー２８の上面の各フック部２８ｄとの係合を解除する。その後、各導水筒４１及び蓋プレート６０を一体的に洗い場排水受入口１１からハウジング２５外に取り出す。
【００７６】
その後、洗い場排水受入口１１からハウジング２５内に清掃用具や工具を挿入して該ハウジング２５内の清掃やメンテナンスを行ったり、さらには開口２８ｅから浴槽排水流路３０内及び各導入流路５０内に清掃用具や工具を挿入して該浴槽排水流路３０内及び各導入流路５０の清掃やメンテナンスを行う。また、取り外した周壁部２１、棚状部７１とそのスロープ部７２、各導水筒４１及び蓋プレート６０の清掃やメンテナンスを行う。
【００７７】
清掃やメンテナンス終了後、上記の取り外し手順とは逆の手順にて、蓋プレート６０を洗い場排水受入口１１からハウジング２５内に挿入して開口２８ｅに装着し、次いで、周壁部２１を洗い場排水受入口１１からハウジング２５内に差し込む。その後、排水枡にカバーを装着して作業を完了する。
【００７８】
この排水トラップ１０の作用効果は以下の通りである。
【００７９】
この排水トラップ１０にあっては、導水部材としての導水筒４１が複数個（この実施の形態では２個）設けられているので、浴槽排水時には、浴槽排水の一部が各導水筒４１を介して効率よく受入室２０内に導入される。これにより、浴槽排水が合流流出口１４を通って流出するのに伴い、封水室２３内に負圧が生じて該封水室２３内の封水が合流流出口１４に吸い出された場合でも、各導水筒４１から受入室２０内に導入された水が封水室２３に流入することによって封水室２３内に十分に封水が補給されるため、該封水室２３内で封水切れすることが防止される。
【００８０】
前述の通り、この実施の形態では、各導水筒４１から水が受入室２０の略接線方向に流出することにより、受入室２０内で旋回流を生じるため、この受入室２０内に設置されたヘアキャッチャー１７が旋回流に浸漬され、ヘアキャッチャー１７内の毛髪などのゴミがヘアキャッチャー１７の中心に集められる。これにより、ゴミを摘んで捨てることができるようになる。また、ヘアキャッチャー１７の内外面が旋回流に浸漬されて浄化され、ヌメリ等が除去される。この実施の形態では、２個の導水筒４１が受入室２０の直径方向に対置するように設けられているので、効率よく旋回流を形成することができると共に、旋回流のムラが小さいものとなる。
【００８１】
前述の通り、この実施の形態では、周壁部２１の上方に、棚状部７１により旋回流形成部が区画形成されており、この旋回流形成部内にヘアキャッチャー１７が配置され、各導水筒４１から該棚状部７１の上側に水が吐出されるため、旋回流の水量が少ない場合でも、ヘアキャッチャー１７を旋回流に十分に浸すことができる。
【００８２】
この実施の形態では、浴槽排水流路３０とは別個に、浴槽排水を各導水筒４１に導く導入流路５０を受入室２０及び封水室２３の下側に設けている。そのため、浴槽排水の一部が各導入流路５０及び導水筒４１を介して受入室２０の上部に流出し、効率よく受入室２０内に浴槽排水が導入されると共に、該受入室２０の上部に旋回流が効率よく形成される。
【００８３】
この実施の形態では、導入流路５０及び導水筒４１を２個ずつ設け、各導入流路５０から各導水筒４１にそれぞれ浴槽排水を導くようにしているので、各導水筒４１から均等に浴槽排水を流出させることができる。また、この２個の導水筒４１を受入室２０の周方向に間隔をおいて配設しているので、この受入室２０内の旋回方向における旋回流の流速分布がムラの小さいものとなる。
【００８４】
この実施の形態では、浴槽排水流路３０の両側にそれぞれ導入流路５０を設けているので、浴槽排水流路３０に流入した浴槽排水を各導入流路５０に分岐させて効率よく各導水筒４１に導くことができる。
【００８５】
この実施の形態では、受入室２０の下方において、該受入室２０及び封水室２３の底面板を構成する流路カバー２８に開口２８ｅを設け、この開口２８ｅに蓋プレート６０を着脱可能に設けている。この蓋プレート６０を開けることにより、該開口２８ｅを通して流路形成溝２６内（即ち浴槽排水流路３０内及び各導入流路５０内）を清掃したりメンテナンスすることができる。
【００８６】
この実施の形態では、導水筒４１が蓋プレート６０と一体的に設けられている。また、周壁部２１は、洗い場排水受入口１１からハウジング２５内に挿抜可能に挿入されている。これにより、該周壁部２１及び導水筒４１もハウジング２５内から取り外すことができるため、該周壁部２１及び導水筒４１も容易に且つ十分に清掃したりメンテナンスすることができる。また、これらを取り外すことにより、洗い場排水受入口１１を介してハウジング２５内及び流路形成溝２６内も容易に且つ十分に清掃したりメンテナンスすることができる。
【００８７】
上記の実施の形態では、導水筒４１が２個、受入室２０の軸心を挟んで反対側にそれぞれ配置されているが、導水筒４１の個数及び配置はこれに限定されない。本発明においては、導水筒４１が３個以上、受入室２０の周方向に所定の間隔をおいて（例えば等間隔にて）配設されてもよい。
【００８８】
第１０図は別の実施の形態に係る排水トラップを備えた浴室の概略的な斜視図、第１１図はこの排水トラップの斜視図、第１２図は第１１図のXII−XII線断面図、第１３図は第１１図のXIII−XIII線断面図である。
【００８９】
浴室１０１の床は浴槽パン（図示略）と洗い場パン１０２とによって構成され、該浴槽パン上に浴槽１０３が設置されている。洗い場パン１０２の浴槽１０３側には排水枡１０４が設けられている。該排水枡１０４は洗い場パン１０２と一体に凹み状に形成されている。この排水枡１０４の上面には排水目皿５が装着されている。
【００９０】
これらの浴槽パン及び浴槽１０３の各排水口１０１ａ，１０３ａ並びに洗い場パン１０２の排水枡１０４に対し、下側から排水トラップ１１０が連結されている。
【００９１】
第１１図に示すように、排水トラップ１１０の長手方向の略中央の上面には、洗い場パン１０２からの排水が排水枡１０４を通り流入する洗い場排水受入口１１１が設けられ、他端側の上面には、浴槽１０３からの排水が排水口１０３ａを通り流入する浴槽排水流入口１１２と、浴槽パンからの排水が排水口１０１ａを通り流入する浴槽パン排水流入口１１３とが設けられている。
【００９２】
また、この排水トラップ１１０の他端側には、これらの洗い場排水受入口１１１、浴槽排水流入口１１２及び浴槽パン排水流入口１１３から該排水トラップ１１０内に流入した水が流出する合流流出口１１４が設けられている。この合流流出口１１４に排水管１０６が接続されている。
【００９３】
この排水トラップ１１０内には、洗い場排水受入口１１１の下側にトラップ室１２０が設けられ、このトラップ室１２０は合流流出口１１４に連通している。このトラップ室１２０の底板１２２の下側には、浴槽排水流入口１１２及び浴槽パン排水流入口１１３と合流流出口１１４とを連通する浴槽排水流路１２３が設けられている。
【００９４】
洗い場排水受入口１１１の内周面の内向き鍔部１３１に係止されるようにして封水筒１３２がトラップ室１２０内に垂設されている。この封水筒１３２は、上端にフランジ部１３２ａ（第１５図）が設けられており、このフランジ部１３２ａが鍔部１３１に係止されている。封水筒１３２の下端と底板１２２との間にはクリアランスが設けてあり、封水筒１３２内の水がこのクリアランスを通って流出する。トラップ室１２０から合流流出口１１４に至る排水流路の底板１３３は、合流流出口１１４側ほど高位となるように傾斜している。トラップ室１２０内には、この傾斜底板１３３の上端１３３ａレベルまで封水が溜まる。前記封水筒１３２は、その下部がこの封水中に没する長さを有している。
封水筒１３２の内側が受入室であり、外側が封水室である。
【００９５】
封水筒１３２のフランジ部１３２ａからガイド用突起１３２ｂが上方に突設されている。このガイド用突起１３２ｂは、封水筒１３２の直径方向に対峙して２個設けられているが、さらに多く設けられてもよい。このガイド用突起１３２ｂは、長方形板状であり、板面を封水筒１３２の半径方向としている。このガイド用突起１３２ｂは、後述のノズル体１５０の切欠部１５２と係合してノズル体１５０の上下動を案内する役割をもつが、封水筒１３２を着脱するときに摘むための摘み部としても利用できる。
【００９６】
洗い場排水受入口１１１にはトラップ取付フランジ１３４が螺着されており、本体側の上面部１３５と該フランジ１３４との間で、排水升４の底部のトラップ取付用開口１０４ａ（第１３，１４図）の縁部をパッキンを介して挟持することにより排水トラップ１１０が洗い場パン１０２に固着される。なお、第１３図は、該開口１０４ａの周縁部の肉厚が比較的小さい場合であり、第１４図は、該開口１０４ａの周縁部の肉厚が比較的大きい場合を示している。
【００９７】
このトラップ取付フランジ１３４の内周面の凸部１３６に係止させてヘアキャッチャー１３７が該トラップ取付フランジ１３４に内嵌状に着脱可能に装着されている。
【００９８】
このヘアキャッチャー１３７の下方において、前記底板１２２に開口１３９が設けられ、この開口１３９に導水部材本体１４０が取り付けられている。
【００９９】
この導水部材本体１４０は、大径筒状の基端環状部１４１と、該基端環状部４１の上部から上方に分岐した複数個（この実施の形態では２個）の分岐管部１４２とを有している。なお、第１３，１４図の通り、基端環状部４１の外周面にフランジ部１４３と爪部１４４が設けられており、該フランジ部１４３と爪部１４４が開口１３９の縁部に対し上下から挟むように係合することにより、導水部材本体１４０が底板１２２に着脱可能に取り付けられている。この分岐管部１４２は上方に向って開口した角筒状である。
【０１００】
該分岐管部１４２の上端に対しノズル体１５０が上方から上下動自在に嵌合している。ノズル体１５０は平たいリング状の棚状部１５１と、該棚状部１５１の外周縁から切り込まれた形状の切欠部１５２と、該棚状部１５１の直径方向に対峙する２箇所に設けられた冠状部１５３と、該冠状部１５３の一方の周方向指向面に設けられた流出口１５４を有している。この流出口１５４は、棚状部１５１の上面に向って水を流出させるように、棚状部１５１よりも上位側に設けられている。なお、冠状部１５３の一部は棚状部１５１の内周よりも内方へ張り出しており、流出口１５４の一部は棚状部１５１の内周縁よりも内方に存在している。
【０１０１】
冠状部１５３は、分岐管部１４２の上端に上下動自在に嵌合し、切欠部１５２が前記ガイド用突起１３２ｂと係合している。各冠状部１５３には流出口１５４は１個ずつ設けられており、各分岐管部１４２からの水は各流出口１５４から同一旋回方向に流出する。上記の導水部材本体１４０と、ノズル体１５０とによって導水部材が構成される。
【０１０２】
次に、この排水トラップ１１０の作動について説明する。
【０１０３】
洗い場パン１０２からの排水は、排水枡１０４及び洗い場排水受入口１１１を通ってトラップ室１２０に流入し、封水筒１３２の下側を通って合流流出口１１４から排水管１０６に流出する。この洗い場排水の流出が停止すると、トラップ室１２０内には、封水が残り、この封水に封水筒１３２の下端が没するので、排水管１０６の臭気が洗い場排水受入口１１１から浴室内に逆流することが防止される。
【０１０４】
なお、浴槽排水が合流流出口１１４を通って排水管に流出するのに伴い、封水室１２３内に負圧が生じて該封水室１２３内の封水が合流流出口１１４に吸い出されることがあるが、下部が大径であり、かつ上部が複数に分岐した導水部材１４０から受入室１２０内に浴槽排水流路１３０の水の一部が十分に流入することにより封水室１２３内に封水が補給されるため、該封水室１２３内で封水切れすることが防止される。
【０１０５】
浴槽１０３及び浴槽パンからの排水は、各々の排水口１０３ａ，１ａ並びに浴室排水流入口１１２、浴槽パン排水流入口１１３から浴槽排水流路１２３及び合流流出口１１４を通って排水管１０６に流出する。この際、該浴槽排水流路１２３を流れる水の一部は、該浴槽排水流路１２３の途中で導水部材本体１４０に流入し、分岐管部１４２を通り、流出口１５４からトラップ室１２０内へ周回方向に流出するため、トラップ室１２０内に旋回流が形成されるようになる。また、この水の流入によりトラップ室１２０内の水位が上昇し、ヘアキャッチャー１３７が旋回流に浸漬され、ヘアキャッチャー１３７内の毛髪などのゴミがヘアキャッチャー１３７の中心に集められる。これにより、ゴミを摘んで捨てることができるようになる。また、ヘアキャッチャー１３７の内外面が旋回流に浸漬されて浄化され、ヌメリ等が除去される。
【０１０６】
なお、第１３図のようにヘアキャッチャー１３７と浴槽排水開始前のノズル体１５０の冠状部１５３とが著しく近接しているときには、ノズル体１５０は浴槽排水開始後でも全く又はほとんど上昇せず、流出口１５４からの流出水はヘアキャッチャー１３７の直下において流出口１５４から流出し、ヘアキャッチャー１３７付近に強力な旋回流が形成される。
【０１０７】
一方、第１４図のように、ヘアキャッチャー１３７が浴槽排水開始前のノズル体１５０から上方に離れているときには、浴槽排水開始後、導水部材本体１４０内に流入する水の水圧によって、冠状部１５３がヘアキャッチャー１３７に当接するまで、ノズル体１５０が上昇する。そのため、この場合でも流出口１５４からの流出水はヘアキャッチャー１３７の直下において流出口１５４から流出し、ヘアキャッチャー１３７は強力な旋回流中に浸ることになる。なお、ノズル体１５０は、分岐管部１４２の上端部及びガイド用突起１３２ｂに案内されてスムーズに上下動する。
【０１０８】
このようにして、ノズル体１５０からヘアキャッチャー１３７までの高さの大小にかかわらず、ヘアキャッチャー１３７の全体が十分に洗浄され、またヘアキャッチャー１３７の上面の全体から毛髪などのゴミが剥ぎ取られるようになる。
【０１０９】
特に、この実施の形態では、ノズル体１５０にリング状の棚状部１５１が設けられ、流出口１５４から流出した水の多くが棚状部１５１上を旋回するので、旋回流が強力となる。
【０１１０】
浴槽排水の流出が停止すると、浴槽排水流路１２３内には合流流出口１１４の下縁のレベルまで封水が残るため、排水管１０６の臭気が浴槽排水流入口１１２及び浴槽パン排水流入口１１３から浴槽や浴室内に逆流することが防止される。
【０１１１】
この実施の形態で用いているノズル体１５０は、その直径が封水筒１３２の内径よりも大きいため、導水部材本体１４０から外れても封水筒内に落下することがない。
【０１１２】
上記実施の形態では、分岐管部１４２の上端にノズル体１５０を上下動可能に嵌合させ、流出口１５４の高さを変更可能としているが、例えば導水部材の基端環状部４１が上下動可能に嵌合した２体で構成されるなど、他の態様とされてもよい。
【０１１３】
冠状部１５３に連なるように、周方向に裾野を引くようにしてスロープ部を設け、旋回水流を冠状部１５３の天井部の上側に導くようにしてもよい。
【０１１４】
第１７図はさらに別の実施の形態に係る排水トラップ２１０の斜視図、第１８図は第１７図のXVIII−XVIII線断面図、第１９図は第１７図のIXX−IXX線断面図である。なお、この排水トラップ２１０を備えた浴室の斜視図は第１０図と同一であるので、省略する。
【０１１５】
前記第１０図と同様に、この実施の形態でも、浴室の床は浴槽パン（図示略）と洗い場パンとによって構成され、該浴槽パン上に浴槽が設置されている。洗い場パンの浴槽側には排水枡１０４（第１９図）が設けられている。該排水枡は洗い場パンと一体に凹み状に形成されている。この排水枡１０４の上面には排水目皿が装着されている。
【０１１６】
これらの浴槽パン及び浴槽の各排水口並びに洗い場パンの排水枡に対し、下側から排水トラップ２１０が連結されている。
【０１１７】
第１７図に示すように、排水トラップ２１０の長手方向の略中央の上面には、洗い場パンからの排水が排水枡を通り流入する洗い場排水受入口２１１が設けられ、他端側の上面には、浴槽からの排水が浴槽排水口を通り流入する浴槽排水流入口２１２と、浴槽パンからの排水が浴槽パン排水口を通り流入する浴槽パン排水流入口２１３とが設けられている。
【０１１８】
また、この排水トラップ２１０の他端側には、これらの洗い場排水受入口２１１、浴槽排水流入口２１２及び浴槽パン排水流入口２１３から該排水トラップ２１０内に流入した水が流出する合流流出口２１４が設けられている。この合流流出口２１４に排水管１０６（第１０図参照）が接続されている。
【０１１９】
この排水トラップ２１０内には、洗い場排水受入口２１１の下側にトラップ室２２０が設けられ、このトラップ室２２０は合流流出口２１４に連通している。このトラップ室２２０の底板２２２の下側には、浴槽排水流入口２１２及び浴槽パン排水流入口２１３と合流流出口２１４とを連通する浴槽排水流路２２３が設けられている。
【０１２０】
洗い場排水受入口２１１の内周面の内向き鍔部２３１に係止されるようにして封水筒２３２がトラップ室２２０内に垂設されている。この封水筒２３２は、上端にフランジ部２３２ａ（第１９図）が設けられており、このフランジ部２３２ａが鍔部２３１に係止されている。封水筒２３２の下端と底板２２２との間にはクリアランスがあいており、封水筒２３２内の水がこのクリアランスを通って流出する。封水筒２３２の内側が受入室であり、外側が封水室である。
トラップ室２２０から合流流出口２１４に至る排水流路の底板２３３は、合流流出口２１４側ほど高位となるように傾斜している。トラップ室２２０内には、この傾斜底板２３３の上端２３３ａレベルまで封水が溜まる。前記封水筒２３２は、その下部がこの封水中に没する長さを有している。
【０１２１】
洗い場排水受入口２１１にはトラップ取付フランジ２３４が螺着されており、本体側の上面部２３５と該フランジ２３４との間で、排水升１０４の底部のトラップ取付用開口１０４ａ（第１９図）の縁部をパッキンを介して挟持することにより排水トラップ２１０が洗い場パンに固着される。このトラップ取付フランジ２３４の内周面の凸部２３６に係止させてヘアキャッチャー２３７が該トラップ取付フランジ２３４に内嵌状に着脱可能に装着されている。
【０１２２】
このヘアキャッチャー２３７の下方において、前記底板２２２に開口２３９が設けられ、この開口２３９に導水部材２４０が取り付けられている。
【０１２３】
この導水部材２４０は、大径筒状の基端環状部２４１と、該基端環状部２４１の上部から上方に分岐した複数個（この実施の形態では４個）のノズル部２４２とを有している。なお、第４図の通り、基端環状部２４１の外周面にフランジ部２４３と爪部２４４が設けられており、該フランジ部２４３と爪部２４４が開口２３９の縁部に対し上下から挟むように係合することにより、導水部材２４０が底板２２２に着脱可能に取り付けられている。
【０１２４】
導水部材２４０は封水筒２３２内を上方に立ち上がっており、ノズル部２４２はトラップ室２２０内の封水面（傾斜底板２３３の上端２３３ａのレベル）よりも上位にまで立ち上がり、各ノズル部２４２の上端はヘアキャッチャー２３７の直下に位置している。各ノズル部２４２は、ヘアキャッチャー２３７の中心部に対し周方向に等間隔で配置されている。ノズル部２４２の上端とヘアキャッチャー２３７の下面との鉛直方向の間隔は０〜２０ｍｍ特に３〜６ｍｍ程度が好適である。各ノズル部２４２は、ヘアキャッチャー２３７の中心と周縁部との中間付近の下方に位置している。
【０１２５】
ノズル部２４２は、上端の開口面積を絞り、噴出水速度を大きくするよう構成されるのが好ましい。各ノズル部２４２の上端の開口面積の合計は１〜４０ｃｍ２特に３〜１０ｃｍ２程度が好適である。
【０１２６】
次に、この排水トラップ２１０の作動について説明する。
【０１２７】
洗い場パンからの排水は、排水枡１０４及び洗い場排水受入口２１１を通ってトラップ室２２０に流入し、封水筒２３２の下側を通って合流流出口２１４から排水管１０６（第１０図参照）に流出する。この洗い場排水の流出が停止すると、トラップ室２２０内には、封水が残り、この封水に封水筒２３２の下端が没するので、排水管１０６の臭気が洗い場排水受入口２１１から浴室内に逆流することが防止される。
【０１２８】
なお、浴槽排水が合流流出口２１４を通って排水管に流出するのに伴い、封水室２２３内に負圧が生じて該封水室２２３内の封水が合流流出口２１４に吸い出されることがあるが、下部が大径であり、かつ上部が複数に分岐した導水部材２４０から受入室２２０内に浴槽排水流路２３０の水の一部が十分に流入することにより封水室２２３内に封水が補給されるため、該封水室２２３内で封水切れすることが防止される。
【０１２９】
浴槽（第１０図の浴槽１０３参照）及び浴槽パンからの排水は、各々の排水口（第１０図の排水口１０３ａ，１０１ａ）並びに浴室排水流入口２１２、浴槽パン排水流入口２１３から浴槽排水流路２２３及び合流流出口２１４を通って排水管６に流出する。この際、該浴槽排水流路２２３を流れる水の一部は、該浴槽排水流路２２３の途中で導水部材２４０に流入し、該導水部材２４０のノズル部２４２からヘアキャッチャー２３７に向って噴出する。
【０１３０】
この噴出水が直射状にヘアキャッチャー２３７に吹き付けられるので、ヘアキャッチャー２３７が浄化され、ヌメリ等が除去される。また、ヘアキャッチャー２３７内の毛髪などのゴミがヘアキャッチャーから剥離される。これにより、浴槽排水の停止後に、ゴミを摘んで容易に捨てることができるようになる。本発明では、浴槽内の水位が低いときでも、ノズル部２４２から水がヘアキャッチャー２３７に吹き付けられ、ヘアキャッチャー２３７が浄化されると共に、ゴミが剥ぎ取られるようになる。
【０１３１】
このノズル部２４２が複数個設けられているので、ヘアキャッチャー２３７に対し満遍なく水が噴出されるので、ヘアキャッチャー２３７の全体が十分に洗浄され、ヘアキャッチャー２３７の上面の全体から毛髪などのゴミが剥ぎ取られるようになる。
【０１３２】
浴槽排水の流出が停止すると、浴槽排水流路２３０内には合流流出口２１４の下縁のレベルまで封水が残るため、排水管１０６の臭気が浴槽排水流入口２１２及び浴槽パン排水流入口２１３から浴槽や浴室内に逆流することが防止される。
【０１３３】
上記実施の形態は本発明の一例であり、本発明は上記以外の構成とされてもよい。例えば、導水部材２４０のノズル部２４２の数は４個より多くても少なくてもよい。ノズル部２４２の先端をさらに複数に区画して多数の噴出流をヘアキャッチャー２３７に噴出させるようにしてもよい。また、ノズル部２４２の上端に、開口径が異なるキャップを装着し、上向き噴出水流の噴出速度を調節するようにしてもよい。
【符号の説明】
【０１３４】
１０  排水トラップ
１１  洗い場排水受入口
１２  浴槽排水受入口
１３  結合フランジ
１４  合流流出口
１７  ヘアキャッチャー
２０  受入室
２１  周壁部
２２  第１流出口
２３  封水室
２４  第２流出口
２５  ハウジング
２６  流路形成溝
２７  仕切壁
２８  流路カバー
２９  浴槽排水導入口
３０  浴槽排水流路
３１  第３流出口
４１  導水筒（導水部材）
４２  吐水口
５０  導入流路
６０  蓋プレート
１０２  洗い場パン
１０３  浴槽
１０４  排水枡
１１０，２１０  排水トラップ
１１１，２１１  洗い場排水受入口
１１２，２１２  浴槽排水流入口
１１３，２１３  浴槽パン排水流入口
１１４，２１４  合流流出口
１２０，２２０  トラップ室
１３２，２３２  封水筒
１３７，２３７  ヘアキャッチャー
１４０  導水部材本体
１４２  分岐管部
１５０  ノズル体
１５１  周板部
１５２  切欠状部
１５３  冠状部
１５４  流出口
２４０  導水部材
２４１  基端環状部
２４２  ノズル部
２４３  フランジ部
２４４  爪部
【図１】
0005601038.tif 000002
【図２】
0005601038.tif 000003
【図３】
0005601038.tif 000004
【図４】
0005601038.tif 000005
【図５】
0005601038.tif 000006
【図６】
0005601038.tif 000007
【図７】
0005601038.tif 000008
【図８】
0005601038.tif 000009
【図９】
0005601038.tif 000010
【図１０】
0005601038.tif 000011
【図１１】
0005601038.tif 000012
【図１２】
0005601038.tif 000013
【図１３】
0005601038.tif 000014
【図１４】
0005601038.tif 000015
【図１５】
0005601038.tif 000016
【図１６】
0005601038.tif 000017
【図１７】
0005601038.tif 000018
【図１８】
0005601038.tif 000019
【図１９】
0005601038.tif 000020